【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
モバイルデバイス上でナビゲーションタスクを制御する方法であって、
前記モバイルデバイスに関する移動ルートを表すデータを取得することと、
前記モバイルデバイスに関する前記移動ルートに関連付けられたナビゲーションタスクのリストを取得することと、
前記移動ルート上の１つまたは複数のポイントへの前記モバイルデバイスの近接度に少なくとも部分的に基づいて、ナビゲーションタスクの前記リストに従って１つまたは複数のナビゲーションタスクを実行すること、ここにおいて、前記１つまたは複数のナビゲーションタスクを実行することは、前記モバイルデバイスが屋内エリアから屋外エリアに移行しているという決定に応答して衛星測位支援データを取得すること、またはアクセスポイントとの通信リンクを確立すること、のうちの１つまたは複数を含む、と、
を備える、方法。
【請求項２】
前記モバイルデバイスが、複数のユニットを備え、複数の測位モードで動作するように構成され、ここにおいて、ナビゲーションタスクの前記リストが、前記移動ルートに沿った前記モバイルデバイスの移動中に前記複数のユニットのうちの少なくとも１つのアクティブ化を制御するための制御データを含む、請求項１に記載の方法。
【請求項３】
前記１つまたは複数のナビゲーションタスクを実行することが、
ナビゲーションタスクの前記リストに少なくとも部分的に基づいて、前記複数のユニットのうちの前記少なくとも１つのアクティブ化を制御すること
を備える、請求項２に記載の方法。
【請求項４】
前記複数のユニットのうちの前記少なくとも１つの前記アクティブ化を制御することが、
前記複数のユニットのうちの前記少なくとも１つを使用可能にすること、
前記複数のユニットのうちの前記少なくとも１つを使用不能にすること、または
前記複数のユニットのうちの前記少なくとも１つの前記アクティブ化を防ぐこと、
のうちの１つを引き起こすことを備える、請求項２に記載の方法。
【請求項５】
前記モバイルデバイスが、前記モバイルデバイスに関する前記移動ルートから逸脱した予測されないロケーションにあるという決定に応答して、ナビゲーションタスクの修正されたリストを取得すること
をさらに備える、請求項１に記載の方法。
【請求項６】
前記モバイルデバイスが、前記モバイルデバイスに関する前記移動ルートから逸脱した予測されないロケーションにあるという決定に応答して、前記モバイルデバイスの１つまたは複数のユニットをアクティブにすること
をさらに備え、
ここにおいて、前記モバイルデバイスの前記１つまたは複数のユニットをアクティブにすることが、
前記モバイルデバイスの１つまたは複数の非アクティブトランシーバをアクティブにすること
を備える、請求項１に記載の方法。
【請求項７】
前記モバイルデバイスによって実行された測定に基づいて決定されたロケーション情報に少なくとも部分的に基づいて、前記モバイルデバイスのロケーションを決定すること
をさらに備える、請求項１に記載の方法。
【請求項８】
前記１つまたは複数のナビゲーションタスクを実行することが、
前記移動ルートの様々なポイント、または前記移動ルートに沿った前記モバイルデバイスの移動中の時間の様々なポイントのうちの１つまたは複数において前記１つまたは複数のナビゲーションタスクを実行すること
を備える、請求項１に記載の方法。
【請求項９】
前記１つまたは複数のナビゲーションタスクを実行することが、
前記モバイルデバイスの決定されたロケーションに少なくとも部分的に基づいて、前記モバイルデバイスの測位モードのうちの少なくとも１つのアクティブ化を制御すること
を備える、請求項１に記載の方法。
【請求項１０】
前記１つまたは複数のナビゲーションタスクを実行することが、
前記モバイルデバイスの少なくとも１つのユニットの初期化を実行することと、
前記モバイルデバイスの前記少なくとも１つのユニットを較正することと、
前記モバイルデバイスの前記少なくとも１つのユニットをアクティブにすることと
を備える、請求項１に記載の方法。
【請求項１１】
前記１つまたは複数のナビゲーションタスクを実行することは、
前記モバイルデバイスが、要求された支援データに関連付けられたエリアに対応する前記移動ルート上の別のポイントに先行する前記移動ルート上のポイントに近接して位置するという決定に応答して、前記支援データを要求することと、
前記要求された支援データを受信することと、
を備える、請求項１に記載の方法。
【請求項１２】
前記衛星測位支援データを取得することが、
前記モバイルデバイスの決定されたロケーションに基づいて衛星利用可能性データを決定し、前記決定された衛星利用可能性データに基づいて衛星のサブセットを決定すること
を備え、前記方法はさらに、
ナビゲーションタスクの前記リスト、前記モバイルデバイスの前記決定されたロケーション、または現在時間のうちの１つまたは複数に少なくとも部分的に基づいて、前記モバイルデバイスが前記屋内エリアから前記屋外エリアに移行していると決定すること
を備える、請求項１に記載の方法。
【請求項１３】
ナビゲーションタスクの前記リストを取得することが、
前記モバイルデバイスまたは前記モバイルデバイスと通信しているリモートサーバのうちの１つまたは複数においてナビゲーションタスクの前記リストの少なくとも一部を生成すること
を備える、請求項１に記載の方法。
【請求項１４】
通信装置であって、
モバイルデバイスに関する移動ルートを表すデータを取得するための手段と、
前記モバイルデバイスに関する前記移動ルートに関連付けられたナビゲーションタスクのリストを取得するための手段と、
前記移動ルート上の１つまたは複数のポイントへの前記モバイルデバイスの近接度に少なくとも部分的に基づいて、ナビゲーションタスクの前記リストに従って１つまたは複数のナビゲーションタスクを実行するための手段、ここにおいて、前記１つまたは複数のナビゲーションタスクを実行するための前記手段は、前記モバイルデバイスが屋内エリアから屋外エリアに移行しているという決定に応答して衛星測位支援データを取得するための手段、またはアクセスポイントとの通信リンクを確立するための手段のうちの１つまたは複数を含む、と、
を備える通信装置。
【請求項１５】
プロセッサ上で実行可能な命令のセットでプログラムされた非一時的プロセッサ可読媒体であって、前記プロセッサによって実行されたとき、前記プロセッサに、請求項１乃至１３のうちのいずれか１項に記載の方法を行わせる、非一時的プロセッサ可読媒体。
【手続補正２】
【補正対象書類名】明細書
【補正対象項目名】００９１
【補正方法】変更
【補正の内容】
【００９１】
[0096]特定の実施形態が本明細書で詳細に開示されたが、これは単に説明の目的で例として行われたものであり、以下の添付の特許請求の範囲に関して限定するものではない。特に、特許請求の範囲によって定義された本発明の趣旨および範囲から逸脱することなく、様々な置換、改変、および変更が行われ得ることが企図される。他の態様、利点、および変更は、以下の特許請求の範囲内に入ると見なされる。提示される特許請求の範囲は、本明細書で開示した実施形態および特徴を表す。他の請求されない実施形態および特徴も企図される。したがって、他の実施形態は以下の特許請求の範囲内に入る。
以下に、本願出願の当初の特許請求の範囲に記載された発明を付記する。
［Ｃ１］
モバイルデバイス上でナビゲーションタスクを制御する方法であって、
前記モバイルデバイスに関する移動ルートを表すデータを取得することと、
前記モバイルデバイスに関する前記移動ルートに関連付けられたナビゲーションタスクのリストを取得することと、
前記移動ルート上の１つまたは複数のポイントへの前記モバイルデバイスの近接度に少なくとも部分的に基づいて、ナビゲーションタスクの前記リストに従って１つまたは複数のナビゲーションタスクを実行すること、ここにおいて、前記１つまたは複数のナビゲーションタスクを実行することは、前記モバイルデバイスが屋内エリアから屋外エリアに移行しているという決定に応答して衛星測位支援データを取得すること、またはアクセスポイントとの通信リンクを確立すること、のうちの１つまたは複数を含む、と、
を備える、方法。
［Ｃ２］
前記モバイルデバイスが、複数のユニットを備え、複数の測位モードで動作するように構成され、ここにおいて、ナビゲーションタスクの前記リストが、前記移動ルートに沿った前記モバイルデバイスの移動中に前記複数のユニットのうちの少なくとも１つのアクティブ化を制御するための制御データを含む、Ｃ１に記載の方法。
［Ｃ３］
前記複数のユニットが、圧力センサー、加速度計、磁力計、ジャイロスコープ、屋内測位受信機、グローバルナビゲーション衛星システム（ＧＮＳＳ）受信機、または通信トランシーバのうちの１つまたは複数を備える、Ｃ２に記載の方法。
［Ｃ４］
前記１つまたは複数のナビゲーションタスクを実行することが、
ナビゲーションタスクの前記リストに少なくとも部分的に基づいて、前記複数のユニットのうちの前記少なくとも１つのアクティブ化を制御すること
を備える、Ｃ２に記載の方法。
［Ｃ５］
前記複数のユニットのうちの前記少なくとも１つの前記アクティブ化を制御することが、
前記複数のユニットのうちの前記少なくとも１つを使用可能にすること、
前記複数のユニットのうちの前記少なくとも１つを使用不能にすること、または
前記複数のユニットのうちの前記少なくとも１つの前記アクティブ化を防ぐこと、
のうちの１つを引き起こすことを備える、Ｃ２に記載の方法。
［Ｃ６］
前記モバイルデバイスが、前記モバイルデバイスに関する前記移動ルートから逸脱した予測されないロケーションにあるという決定に応答して、ナビゲーションタスクの修正されたリストを取得すること
をさらに備える、Ｃ１に記載の方法。
［Ｃ７］
前記モバイルデバイスが、前記モバイルデバイスに関する前記移動ルートから逸脱した予測されないロケーションにあるという決定に応答して、前記モバイルデバイスの１つまたは複数のユニットをアクティブにすること
をさらに備える、Ｃ１に記載の方法。
［Ｃ８］
前記モバイルデバイスの前記１つまたは複数のユニットをアクティブにすることが、
前記モバイルデバイスの１つまたは複数の非アクティブトランシーバをアクティブにすること
を備える、Ｃ７に記載の方法。
［Ｃ９］
前記モバイルデバイスによって実行された測定に基づいて決定されたロケーション情報に少なくとも部分的に基づいて、前記モバイルデバイスのロケーションを決定すること
をさらに備える、Ｃ１に記載の方法。
［Ｃ１０］
前記１つまたは複数のナビゲーションタスクを実行することが、
前記移動ルートの様々なポイント、または前記移動ルートに沿った前記モバイルデバイスの移動中の時間の様々なポイントのうちの１つまたは複数において前記１つまたは複数のナビゲーションタスクを実行することを備える、Ｃ１に記載の方法。
［Ｃ１１］
前記１つまたは複数のナビゲーションタスクを実行することが、
前記モバイルデバイスの決定されたロケーションに少なくとも部分的に基づいて、前記モバイルデバイスの測位モードのうちの少なくとも１つのアクティブ化を制御すること
を備える、Ｃ１に記載の方法。
［Ｃ１２］
前記１つまたは複数のナビゲーションタスクを実行することが、
前記モバイルデバイスの少なくとも１つのユニットの初期化を実行することと、
前記モバイルデバイスの前記少なくとも１つのユニットを較正することと、
前記モバイルデバイスの前記少なくとも１つのユニットをアクティブにすることと
を備える、Ｃ１に記載の方法。
［Ｃ１３］
前記１つまたは複数のナビゲーションタスクを実行することは、
前記モバイルデバイスが、要求された支援データに関連付けられたエリアに対応する前記移動ルート上の別のポイントに先行する前記移動ルート上のポイントに近接して位置するという決定に応答して、前記支援データを要求することと、
前記要求された支援データを受信することと、
を備える、Ｃ１に記載の方法。
［Ｃ１４］
前記衛星測位支援データを取得することが、
前記モバイルデバイスの決定されたロケーションに基づいて衛星利用可能性データを決定し、前記決定された衛星利用可能性データに基づいて衛星のサブセットを決定すること
を備える、Ｃ１に記載の方法。
［Ｃ１５］
ナビゲーションタスクの前記リスト、前記モバイルデバイスの前記決定されたロケーション、または現在時間のうちの１つまたは複数に少なくとも部分的に基づいて、前記モバイルデバイスが前記屋内エリアから前記屋外エリアに移行していると決定すること
をさらに備える、Ｃ１４に記載の方法。
［Ｃ１６］
ナビゲーションタスクの前記リストを取得することが、
前記モバイルデバイスまたは前記モバイルデバイスと通信しているリモートサーバのうちの１つまたは複数においてナビゲーションタスクの前記リストの少なくとも一部を生成すること
を備える、Ｃ１に記載の方法。
［Ｃ１７］
モバイルデバイスであって、
１つまたは複数のプロセッサと、
記憶媒体であって、前記１つまたは複数のプロセッサ上で実行されたとき、
前記モバイルデバイスに関する移動ルートを表すデータを取得することと、
前記モバイルデバイスに関する前記移動ルートに関連付けられたナビゲーションタスクのリストを取得することと、
前記移動ルート上の１つまたは複数のポイントへの前記モバイルデバイスの近接度に少なくとも部分的に基づいて、ナビゲーションタスクの前記リストに従って１つまたは複数のナビゲーションタスクを実行すること、ここにおいて、前記１つまたは複数のナビゲーションタスクを実行することは、前記モバイルデバイスが屋内エリアから屋外エリアに移行しているという決定に応答して衛星測位支援データを取得すること、またはアクセスポイントとの通信リンクを確立することのうちの１つまたは複数を含む、と、
を備える動作を引き起こすコンピュータ命令を備える記憶媒体と、
を備えるモバイルデバイス。
［Ｃ１８］
前記モバイルデバイスが複数のユニットを備え、ここにおいて、前記モバイルデバイスが複数の測位モードで動作するように構成され、ここにおいて、ナビゲーションタスクの前記リストが、前記移動ルートに沿った前記モバイルデバイスの移動中に前記複数のユニットのうちの少なくとも１つのアクティブ化を制御するための制御データを含む、Ｃ１７に記載のモバイルデバイス。
［Ｃ１９］
前記複数のユニットが、圧力センサー、加速度計、磁力計、ジャイロスコープ、屋内測位受信機、グローバルナビゲーション衛星システム（ＧＮＳＳ）受信機、または通信トランシーバのうちの１つまたは複数を備える、Ｃ１８に記載のモバイルデバイス。
［Ｃ２０］
前記記憶媒体は、
前記モバイルデバイスが、前記モバイルデバイスに関する前記移動ルートから逸脱した予測されないロケーションにあるという決定に応答して、前記モバイルデバイスの１つまたは複数のユニットをアクティブにすること
を備えるさらなる動作を引き起こすための命令をさらに備える、Ｃ１７に記載のモバイルデバイス。
［Ｃ２１］
前記モバイルデバイスの前記１つまたは複数のユニットをアクティブにする前記動作を引き起こす前記命令が、
前記モバイルデバイスの１つまたは複数の非アクティブトランシーバをアクティブにすること
を備えるさらなる動作を引き起こす命令を備える、Ｃ２０に記載のモバイルデバイス。
［Ｃ２２］
前記記憶媒体が、
前記モバイルデバイスによって実行された測定に基づいて決定されたロケーション情報に少なくとも部分的に基づいて、前記モバイルデバイスのロケーションを決定すること
を備えるさらなる動作を引き起こすための命令をさらに備える、Ｃ１７に記載のモバイルデバイス。
［Ｃ２３］
前記１つまたは複数のナビゲーションタスクを実行する前記動作を引き起こす前記命令が、
前記移動ルートの様々なポイント、または前記移動ルートに沿った前記モバイルデバイスの移動中の時間の様々なポイントのうちの１つまたは複数において前記１つまたは複数のナビゲーションタスクを実行すること
を備えるさらなる動作を引き起こす命令を備える、Ｃ１７に記載のモバイルデバイス。
［Ｃ２４］
前記１つまたは複数のナビゲーションタスクを実行する前記動作を引き起こす前記命令は、
前記モバイルデバイスが、要求された支援データに関連付けられたエリアに対応する前記移動ルート上の別のポイントに先行する前記移動ルート上のポイントに近接して位置するという決定に応答して、前記支援データを要求することと、
前記要求された支援データを受信することと
を備えるさらなる動作を引き起こす命令を備える、Ｃ１７に記載のモバイルデバイス。
［Ｃ２５］
前記衛星測位支援データを取得する前記動作を引き起こす前記命令が、
前記モバイルデバイスの決定されたロケーションに基づいて衛星利用可能性データを決定し、前記決定された衛星利用可能性データに基づいて衛星のサブセットを決定すること
を備えるさらなる動作を引き起こす命令を備える、Ｃ１７に記載のモバイルデバイス。
［Ｃ２６］
前記記憶媒体は、
ナビゲーションタスクの前記リスト、前記モバイルデバイスの前記決定されたロケーション、または現在時間のうちの１つまたは複数に少なくとも部分的に基づいて、前記モバイルデバイスが前記屋内エリアから前記屋外エリアに移行していると決定すること
を備えるさらなる動作を引き起こすための命令をさらに備える、Ｃ２５に記載のモバイルデバイス。
［Ｃ２７］
ナビゲーションタスクの前記リストを取得する前記動作を引き起こす前記命令が、
前記モバイルデバイスまたは前記モバイルデバイスと通信しているリモートサーバのうちの１つまたは複数においてナビゲーションタスクの前記リストの少なくとも一部を生成すること
を備えるさらなる動作を引き起こす命令を備える、Ｃ１７に記載のモバイルデバイス。
［Ｃ２８］
通信装置であって、
モバイルデバイスに関する移動ルートを表すデータを取得するための手段と、
前記モバイルデバイスに関する前記移動ルートに関連付けられたナビゲーションタスクのリストを取得するための手段と、
前記移動ルート上の１つまたは複数のポイントへの前記モバイルデバイスの近接度に少なくとも部分的に基づいて、ナビゲーションタスクの前記リストに従って１つまたは複数のナビゲーションタスクを実行するための手段、ここにおいて、前記１つまたは複数のナビゲーションタスクを実行するための前記手段は、前記モバイルデバイスが屋内エリアから屋外エリアに移行しているという決定に応答して衛星測位支援データを取得するための手段、またはアクセスポイントとの通信リンクを確立するための手段のうちの１つまたは複数を含む、と、
を備える通信装置。
［Ｃ２９］
前記モバイルデバイスが複数のユニットを備え、ここにおいて、前記モバイルデバイスが複数の測位モードで動作するように構成され、ここにおいて、ナビゲーションタスクの前記リストが、前記移動ルートに沿った前記モバイルデバイスの移動中に前記複数のユニットのうちの少なくとも１つのアクティブ化を制御するための制御データを含む、Ｃ２８に記載の装置。
［Ｃ３０］
前記複数のユニットが、圧力センサー、加速度計、磁力計、ジャイロスコープ、屋内測位受信機、グローバルナビゲーション衛星システム（ＧＮＳＳ）受信機、または通信トランシーバのうちの１つまたは複数を備える、Ｃ２９に記載の装置。
［Ｃ３１］
前記モバイルデバイスが、前記モバイルデバイスに関する前記移動ルートから逸脱した予測されないロケーションにあるという決定に応答して、前記モバイルデバイスの１つまたは複数のユニットをアクティブにするための手段をさらに備える、Ｃ２８に記載の装置。
［Ｃ３２］
アクティブにするための前記手段が、
前記モバイルデバイスの１つまたは複数の非アクティブトランシーバをアクティブにするための手段
を備える、Ｃ３１に記載の装置。
［Ｃ３３］
前記モバイルデバイスによって実行された測定に基づいて決定されたロケーション情報に少なくとも部分的に基づいて、前記モバイルデバイスのロケーションを決定するための手段
をさらに備える、Ｃ２８に記載の装置。
［Ｃ３４］
前記１つまたは複数のナビゲーションタスクを実行するための前記手段が、
前記移動ルートの様々なポイント、または前記移動ルートに沿った前記モバイルデバイスの移動中の時間の様々なポイントのうちの１つまたは複数において前記１つまたは複数のナビゲーションタスクを実行するための手段
をさらに備える、Ｃ２８に記載の装置。
［Ｃ３５］
前記１つまたは複数のナビゲーションタスクを実行するための前記手段は、
前記モバイルデバイスが、要求された支援データに関連付けられたエリアに対応する前記移動ルート上の別のポイントに先行する前記移動ルート上のポイントに近接して位置するという決定に応答して、前記支援データを要求するための手段と、
前記要求された支援データを受信するための手段と、
をさらに備える、Ｃ２８に記載の装置。
［Ｃ３６］
前記衛星測位支援データを取得するための前記手段が、
前記モバイルデバイスの決定されたロケーションに基づいて衛星利用可能性データを決定し、前記決定された衛星利用可能性データに基づいて衛星のサブセットを決定するための手段
を備える、Ｃ２８に記載の装置。
［Ｃ３７］
ナビゲーションタスクの前記リスト、前記モバイルデバイスの前記決定されたロケーション、または現在時間のうちの１つまたは複数に少なくとも部分的に基づいて、前記モバイルデバイスが前記屋内エリアから前記屋外エリアに移行していると決定するための手段
をさらに備える、Ｃ３６に記載の装置。
［Ｃ３８］
ナビゲーションタスクの前記リストを取得するための前記手段が、
前記モバイルデバイスまたは前記モバイルデバイスと通信しているリモートサーバのうちの１つまたは複数においてナビゲーションタスクの前記リストの少なくとも一部を生成するための手段
を備える、Ｃ２８に記載の装置。
［Ｃ３９］
プロセッサ上で実行可能な命令のセットでプログラムされた非一時的プロセッサ可読媒体であって、実行されたとき、
モバイルデバイスに関する移動ルートを表すデータを取得することと、
前記モバイルデバイスに関する前記移動ルートに関連付けられたナビゲーションタスクのリストを取得することと、
前記移動ルート上の１つまたは複数のポイントへの前記モバイルデバイスの近接度に少なくとも部分的に基づいて、ナビゲーションタスクの前記リストに従って１つまたは複数のナビゲーションタスクを実行すること、ここにおいて、前記１つまたは複数のナビゲーションタスクを実行することは、前記モバイルデバイスが屋内エリアから屋外エリアに移行しているという決定に応答して衛星測位支援データを取得すること、またはアクセスポイントとの通信リンクを確立することのうちの１つまたは複数を含む、と、
を備える動作を引き起こす、非一時的プロセッサ可読媒体。
［Ｃ４０］
前記モバイルデバイスが複数のユニットを備え、ここにおいて、前記モバイルデバイスが複数の測位モードで動作するように構成され、ここにおいて、ナビゲーションタスクの前記リストが、前記移動ルートに沿った前記モバイルデバイスの移動中に前記複数のユニットのうちの少なくとも１つのアクティブ化を制御するための制御データを含む、Ｃ３９に記載のプロセッサ可読媒体。
［Ｃ４１］
前記複数のユニットが、圧力センサー、加速度計、磁力計、ジャイロスコープ、屋内測位受信機、グローバルナビゲーション衛星システム（ＧＮＳＳ）受信機、または通信トランシーバのうちの１つまたは複数を備える、Ｃ４０に記載のプロセッサ可読媒体。
［Ｃ４２］
前記モバイルデバイスが、前記モバイルデバイスに関する前記移動ルートから逸脱した予測されないロケーションにあるという決定に応答して、前記モバイルデバイスの１つまたは複数のユニットをアクティブにすること
を備えるさらなる動作を引き起こすための命令をさらに備える、Ｃ３９に記載のプロセッサ可読媒体。
［Ｃ４３］
前記モバイルデバイスの前記１つまたは複数のユニットをアクティブにすることが、
前記モバイルデバイスの１つまたは複数の非アクティブトランシーバをアクティブにすること
を備える、Ｃ４２に記載のプロセッサ可読媒体。
［Ｃ４４］
前記モバイルデバイスによって実行された測定に基づいて決定されたロケーション情報に少なくとも部分的に基づいて、前記モバイルデバイスのロケーションを決定すること
を備えるさらなる動作を引き起こすための命令をさらに備える、Ｃ３９に記載のプロセッサ可読媒体。
［Ｃ４５］
前記１つまたは複数のナビゲーションタスクを実行することが、
前記移動ルートの様々なポイント、または前記移動ルートに沿った前記モバイルデバイスの移動中の時間の様々なポイントのうちの１つまたは複数において前記１つまたは複数のナビゲーションタスクを実行すること
を備える、Ｃ３９に記載のプロセッサ可読媒体。
［Ｃ４６］
前記１つまたは複数のナビゲーションタスクを実行することは、
前記モバイルデバイスが、要求された支援データに関連付けられたエリアに対応する前記移動ルート上の別のポイントに先行する前記移動ルート上のポイントに近接して位置するという決定に応答して、前記支援データを要求することと、
前記要求された支援データを受信することと、
を備える、Ｃ３９に記載のプロセッサ可読媒体。
［Ｃ４７］
前記衛星測位支援データを取得することが、
前記モバイルデバイスの決定されたロケーションに基づいて衛星利用可能性データを決定し、前記決定された衛星利用可能性データに基づいて衛星のサブセットを決定すること
を備える、Ｃ３９に記載のプロセッサ可読媒体。
［Ｃ４８］
ナビゲーションタスクの前記リスト、前記モバイルデバイスの前記決定されたロケーション、または現在時間のうちの１つまたは複数に少なくとも部分的に基づいて、前記モバイルデバイスが前記屋内エリアから前記屋外エリアに移行していると決定すること
を備えるさらなる動作を引き起こすための命令をさらに備える、Ｃ４７に記載のプロセッサ可読媒体。
［Ｃ４９］
ナビゲーションタスクの前記リストを取得することが、
前記モバイルデバイスまたは前記モバイルデバイスと通信しているリモートサーバのうちの１つまたは複数においてナビゲーションタスクの前記リストの少なくとも一部を生成すること
を備える、Ｃ３９に記載のプロセッサ可読媒体。